(57)【要約】【課題】無接点方式電力伝送による充電を行うための携帯電話の受電コイルとして好適な極薄化を達成可能な防磁シート付きコイルの提供。【解決手段】防磁シートにコイルが接合された防磁シート付きコイルであって、前記防磁シートは、前記コイルの厚み方向に突出した端子が収容されるスリットを有し、前記コイルは、厚み方向に突出した端子を防磁シートのスリットに合致させた状態で防磁シートに接合されたことを特徴とする防磁シート付きコイル。【選択図】図２
2008210861.tif 000002
【特許請求の範囲】
【請求項１】
防磁シートにコイルが接合された防磁シート付きコイルであって、
前記防磁シートは、前記コイルの厚み方向に突出した端子が収容されるスリットを有し、前記コイルは、厚み方向に突出した端子を防磁シートのスリットに合致させた状態で防磁シートに接合されたことを特徴とする防磁シート付きコイル。
【請求項２】
前記コイルが、１列〜３列多層巻きのコイルであることを特徴とする請求項１に記載の防磁シート付きコイル。
【請求項３】
前記防磁シートとコイルとが、両面テープ又は接着剤を介して接合されたことを特徴とする請求項１又は２に記載の防磁シート付きコイル。
【発明の詳細な説明】
【技術分野】
【０００１】
本発明は、例えば、電磁誘導方式による無接点方式電力伝送システムにおいて受電コイルとして好適な薄型の防磁シート付きコイルに関する。
【背景技術】
【０００２】
近年、携帯電話、電気剃刀機、卓上掃除機、リモートコントローラなど、コードレスにした機器（コードレス機器）に内蔵したバッテリーを充電する充電器として、充電器に内蔵した一次コイルと機器に内蔵した二次コイルとを磁気結合した無接点充電式機器が知られている。また、腕時計、電卓等、従来、電池の起電力が低下した場合に電池交換することが一般的であった機器についても、近年では、内蔵バッテリーを無接点方式によって充電する方式のものが出現してきている。この種の無接点充電式機器では、充電器と機器を電気的に接続する接点を設けることなく、一次コイルから二次コイルへの電磁誘導により、充電器から機器に電力を供給することができる（例えば、特許文献１〜４参照。）。
【特許文献１】特開平５−２５８９４１号公報
【特許文献２】特開平６−３０２２２１号公報
【特許文献３】特開２００５−１３６３４２号公報
【特許文献４】特開２００５−１３７１７３号公報
【発明の開示】
【発明が解決しようとする課題】
【０００３】
携帯電話等の機器において、無接点方式電力伝送による充電が検討されている。携帯電話は、薄型化のニーズが特に強く、このニーズに答えつつ、無接点方式電力伝送による充電可能な構造を実現するには、携帯電話に内蔵される受電側コイルを極薄のものとする必要がある。また、受電側コイルには、他の部品に対し電磁波の影響を防止するために、防磁シートを貼り合わせて使用されるが、一般のコイルは巻始め端子が厚み方向に突出しているため、平坦なシート上にコイルを貼り合わせた場合、コイルの巻始め端子の突出分が余分な厚みとなって、防磁シート付きコイルを薄型化する上での障害となっている。
【０００４】
本発明は、前記事情に鑑みてなされ、無接点方式電力伝送による充電を行うための携帯電話の受電コイルとして好適な極薄化を達成可能な防磁シート付きコイルの提供を目的とする。
【課題を解決するための手段】
【０００５】
前記目的を達成するため、本発明は、防磁シートにコイルが接合された防磁シート付きコイルであって、前記防磁シートは、前記コイルの厚み方向に突出した端子が収容されるスリットを有し、前記コイルは、厚み方向に突出した端子を防磁シートのスリットに合致させた状態で防磁シートに接合されたことを特徴とする防磁シート付きコイルを提供する。
【０００６】
本発明の防磁シート付きコイルにおいて、前記コイルが、１列〜３列多層巻きのコイルであることが好ましい。
【０００７】
本発明の防磁シート付きコイルにおいて、前記防磁シートとコイルとが、両面テープ又は接着剤を介して接合されたことが好ましい。
【発明の効果】
【０００８】
本発明の防磁シート付きコイルは、コイルの厚み方向に突出した端子が収容されるスリットを有する防磁シートを用い、コイルの厚み方向に突出した端子を防磁シートのスリットに合致させた状態で防磁シートにコイルを接合した構成としたので、無接点方式電力伝送による充電を行うための携帯電話の受電コイルとして好適な極薄化を達成可能な防磁シート付きコイルを提供することができる。
【発明を実施するための最良の形態】
【０００９】
以下、本発明の実施形態について、図面を参照して説明する。
図１及び図２は、本発明の防磁シート付きコイルの第１実施形態を示し、図１は本実施形態の防磁シート付きコイル１の組立斜視図、図２は防磁シート付きコイル１の斜視図である。これらの図中、符号１は防磁シート付きコイル、２はコイル、３は防磁シート、４はスリット、５は巻始め端子、６は両面テープ（両面粘着フィルム）、７は外枠である。
【００１０】
本実施形態の防磁シート付きコイル１は、防磁シート３にコイル２が接合されてなり、防磁シート３は、コイル２の厚み方向に突出した巻始め端子５が収容されるスリット４を有し、またコイル２は、厚み方向に突出した巻始め端子５を防磁シート３のスリット４に合致させた状態で両面テープ６（両面粘着フィルム）を介して防磁シート３に接合されている。
【００１１】
このコイル２は、無接点方式電力伝送による充電を行うための携帯電話の受電コイルとして好適な極薄の１列〜３列多層巻きコイルである。
図３〜図５はコイル２の一例を示し、図３はコイル２の斜視図、図４は平面図、図５は側面図である。本例示において、コイル２はドーナツ状をなし、図５に示すようにコイルの厚み方向において、巻始め端子５がコイル本体から突出している。従って、このコイル２を平坦な防磁シート上に接合した場合には、巻始め端子５の厚さ分だけ、防磁シート付きコイルの厚みが厚くなってしまう問題を生じる。本発明では、この巻始め端子５を防磁シート３のスリット４に入れることで、防磁シート付きコイル１を薄くすることができ、無接点方式電力伝送による充電を行うための携帯電話の受電コイルとして好適な極薄化を達成する。
【００１２】
前記防磁シート３は、軟磁性材料からなる微粒子を合成樹脂製フィルムで挟み込んだ薄い防磁シートを用いることが好ましい。これらの防磁シートは、容易に切断や穴明け加工ができ、使用するコイル２の大きさや形状に合わせて、所望の大きさや形状のものを切断加工して用いることができる。図１及び図２の例示では、正方形又は長方形の防磁シート３を用いている。
【００１３】
この防磁シート３に設けるスリット４の形状や幅は、コイル２の巻始め端子５の形状に応じて適宜変更可能であり、図１及び図２に示すように細い直線上のスリット４以外に、例えば、Ｌ字状、Ｓ字状などの形状としても良い。薄い防磁シート３にスリット４を形成する方法としては、パンチング等の周知の加工法を用いて簡単に行うことができる。
【００１４】
本実施形態では、防磁シート３とコイル２とを接合する手段として、図１に示すように、両面テープ６（両面粘着シート）を用いている。この場合、コイル２の巻始め端子５が当接する部分は、両面テープ６が撓んで巻始め端子５を包みながらスリット４に収容されるので、特に加工を施す必要はないが、両面テープ６の巻始め端子５が当接する部分に切れ目やスリットを設けておいても良い。
【００１５】
なお、防磁シート３とコイル２とを接合する手段は、本例示に限定されず、ホットメルト系接着剤、エポキシ系接着剤、シアノアクリレート系接着剤、ウレタン系接着剤などを用いて両者を接着しても良い。
【００１６】
また、本実施形態では、図１に示すように、防磁シート３とコイル２とを両面テープ６を介して接合し、さらにコイル２の周囲に透明な合成樹脂製フィルムからなる外枠７を貼り付けているが、両面テープ６をコイル２の外寸法と合わせて用いる場合や前記接着剤を用いる場合には、外枠７を省いても良い。
【００１７】
本実施形態の防磁シート付きコイル１は、コイル２の厚み方向に突出した巻始め端子５が収容されるスリット４を有する防磁シート３を用い、コイル２の巻始め端子５を防磁シート３のスリット４に合致させた状態で防磁シート３にコイル２を接合した構成としたので、無接点方式電力伝送による充電を行うための携帯電話の受電コイルとして好適な極薄化を達成可能な防磁シート付きコイル１を提供することができる。
【００１８】
図６及び図７は、本発明の防磁シート付きコイルの第２実施形態を示し、図６は本実施形態の防磁シート付きコイル１１の組立斜視図、図７は防磁シート付きコイル１１の斜視図である。これらの図中、符号１１は防磁シート付きコイル、１２はコイル、１３は防磁シート、１４はスリット、１５は巻始め端子、１６は両面テープ（両面粘着フィルム）である。
【００１９】
本実施形態の防磁シート付きコイル１１は、防磁シート１３に平面視略四角形のコイル１２が接合されてなり、防磁シート１３は、コイル１２の厚み方向に突出した巻始め端子１５が収容されるスリット１４を有し、またコイル１２は、厚み方向に突出した巻始め端子１５を防磁シート１３のスリット１４に合致させた状態で両面テープ１６（両面粘着フィルム）を介して防磁シート１３に接合されている。
【００２０】
本実施形態の防磁シート付きコイル１１は、コイル１２の形状を平面視略四角形としていること以外は、前述した第１実施形態の防磁シート付きコイル１とほぼ同様に構成することができる。
そして、本実施形態の防磁シート付きコイル１１は、前述した第１実施形態の防磁シート付きコイル１と同様の効果を得ることができる。
【図面の簡単な説明】
【００２１】
【図１】本発明の防磁シート付きコイルの第１実施形態を示す組立斜視図である。
【図２】本発明の防磁シート付きコイルの第１実施形態を示す斜視図である。
【図３】コイルの一例を示す斜視図である。
【図４】コイルの一例を示す平面図である。
【図５】コイルの一例を示す側面図である。
【図６】本発明の防磁シート付きコイルの第１実施形態を示す組立斜視図である。
【図７】本発明の防磁シート付きコイルの第１実施形態を示す斜視図である。
【符号の説明】
【００２２】
１，１１…防磁シート付きコイル、２，１２…コイル、３，１３…防磁シート、４，１４…スリット、５，１５…巻始め端子、６，１６…両面テープ、７…外枠。
【図１】
2008210861.tif 000003
【図２】
2008210861.tif 000004
【図３】
2008210861.tif 000005
【図４】
2008210861.tif 000006
【図５】
2008210861.tif 000007
【図６】
2008210861.tif 000008
【図７】
2008210861.tif 000009